(57)【要約】【課題】使用者が面倒を感じることなく、より高い温感効果を発揮可能な温感部材を提供する。【解決手段】基部１と、この基部１の表面側で基部１と一体に設けられ、気孔３ａ、３ｂを有して構成された断熱部４とを備えた浴室用防水パンである。断熱部４は気孔３ａをもつ無数の中空粒子３を有し、各中空粒子３は粒径の分布において２種類以上の中心粒径をもつものである。【選択図】図２
2005153277.tif 000002
【特許請求の範囲】
【請求項１】
基部と、該基部の表面側で該基部と一体に設けられ、気孔を有して構成された断熱部とを備えた温感部材であって、
前記断熱部は前記気孔をもつ無数の気孔体を有し、各該気孔体は粒径又は長さの分布において２種類以上の中心粒径又は中心長さをもつものであることを特徴とする温感部材。
【請求項２】
前記断熱部の前記気孔は各前記気孔体の内部のもの及び各該気孔体間のものからなることを特徴とする請求項１記載の温感部材。
【請求項３】
前記断熱部は、各前記気孔体が点又は線接合されてなるものであることを特徴とする請求項２記載の温感部材。
【請求項４】
前記基部と前記断熱部との間には、繊維が互いに空隙を確保しながら絡み合ってなるシート状の補強体が両者に一体に設けられていることを特徴とする請求項１乃至３のいずれか１項記載の温感部材。
【請求項５】
前記補強体は、前記断熱部側が前記基部側よりも前記繊維を密に有していることを特徴とする請求項４記載の温感部材。
【請求項６】
前記断熱部の表面側には該断熱部と一体に設けられた非透水性の表面層が備えられていることを特徴とする請求項１乃至５のいずれか１項記載の温感部材。
【請求項７】
前記気孔体は、中空粒子、中空繊維及び多孔質粒子の少なくとも１種であることを特徴とする請求項１乃至６のいずれか１項記載の温感部材。
【請求項８】
浴室用防水パンであることを特徴とする請求項１乃至７のいずれか１項記載の温感部材。
【請求項９】
基部を得る第１工程と、
気孔をもち、粒径又は長さの分布において２種類以上の中心粒径又は中心長さをもつ無数の気孔体を含む断熱部を得る第２工程と、
該基部の表面側に該断熱部を一体に形成し、中間材を得る第３工程と、
該中間材の表面側に非透水性の表面層を形成し、温感部材を得る第４工程とを備えることを特徴とする温感部材の製造方法。
【請求項１０】
前記第３工程では、繊維が互いに空隙を確保しながら絡み合ってなるシート状の補強体を前記基部と前記断熱部との間に設けることを特徴とする請求項９記載の温感部材の製造方法。
【請求項１１】
無数の前記気孔体を含む断熱部用塗料を前記基部の表面側に塗布することにより、前記第２工程及び前記第３工程を行うことを特徴とする請求項９又は１０記載の温感部材の製造方法。
【請求項１２】
前記断熱部用塗料は、溶剤によって希釈された接着液と、該接着液中に分散された無数の前記気孔体とからなることを特徴とする請求項１１記載の温感部材の製造方法。
【請求項１３】
各前記気孔体は加熱により互いに固着するものであり、各該気孔体を前記基部の表面側に設けた後、各該気孔体を加熱することにより、前記第２工程及び前記第３工程を行うことを特徴とする請求項９又は１０記載の温感部材の製造方法。
【請求項１４】
各前記気孔体は、表層及び中心層からなる殻内に前記気孔をもち、該表層が該中心層よりも低温で溶解可能なものであることを特徴とする請求項１３記載の温感部材の製造方法。
【請求項１５】
各前記気孔体は加熱により膨張して内部に前記気孔を生じるものであり、各該気孔体を前記基部の表面側に設けた後、各該気孔体を加熱することにより、前記第２工程及び前記第３工程を行うことを特徴とする請求項９又は１０記載の温感部材の製造方法。
【請求項１６】
前記気孔体は、中空粒子、中空繊維及び多孔質粒子の少なくとも１種であることを特徴とする請求項９乃至１５のいずれか１項記載の温感部材の製造方法。
【発明の詳細な説明】
【技術分野】
【０００１】
本発明は温感部材及びその製造方法に関する。温感部材とは、人が表面に触れた場合に冷たさや熱さをより感じにくい部材である。
【背景技術】
【０００２】
例えば、ユニットバスルームを構成する一般的な浴室用防水パンは、シートモールディングコンパウンド（ＳＭＣ）法によって製造されることが一般的な繊維強化プラスチック（ＦＲＰ）製品である。こうして得られる浴室用防水パン等のＦＲＰ製品は軽量性、高強度性等の優れた特質を発揮する。しかし、一般的なＦＲＰ製品は、冬場にそれが日陰にあり、人がその表面に触れた場合には冷たさを感じやすく、夏場にそれが日なたにあり、人がその表面に触れた場合には熱さを感じやすいという不具合がある。このため、一般的な浴室用防水パンに対しては、その表面側に発泡ポリウレタンフォーム等からなるバスマットを設けることがよく行われている。こうすることにより、バスマットの無数の気孔が熱の移動を阻害するため、冷感を生じ難いという温感効果を生じる。なお、ベランダ、バルコニー等の床材をこれらと同様の構成とすれば、熱感を生じ難いという温感効果も生じると考えられる。
【発明の開示】
【発明が解決しようとする課題】
【０００３】
しかし、上記従来の浴室用防水パンは、ＦＲＰ製品であることにより軽量性、高強度性等の優れた特質を発揮するものの、温感効果を得ようとすれば、発泡ポリウレタンフォーム等からなる別体のマットをわざわざ表面側に設けなければならず、使用者に面倒な作業を強いてしまう。
【０００４】
このため、出願人は、特願２００３−２９８０１４において、ＦＲＰ製の基部と、この基部の表面側に一体に設けられ、無数の気孔を有して構成された断熱部とを備えた温感部材を提案した。この温感部材においては、無数の気孔を有する断熱部がＦＲＰ製の基部と一体になっているため、使用者が面倒を感じることなく、温感効果を享受することが可能になる。
【０００５】
しかしながら、先の出願においては、気孔をもつ中空粒子等の気孔体の粒度分布について検討がなされていなかったため、各気孔体が断熱部内で密に存在しない場合もあり、そのような温感部材では必ずしも高い温感効果を期待することができない。
【０００６】
本発明は、上記従来の実情に鑑みてなされたものであって、使用者が面倒を感じることなく、より高い温感効果を発揮可能な温感部材を提供することを解決すべき課題としている。
【課題を解決するための手段】
【０００７】
本発明の温感部材は、基部と、該基部の表面側で該基部と一体に設けられ、気孔を有して構成された断熱部とを備えた温感部材であって、前記断熱部は前記気孔をもつ無数の気孔体を有し、各該気孔体は粒径又は長さの分布において２種類以上の中心粒径又は中心長さをもつものであることを特徴とする。
【０００８】
本発明の温感部材は、基部と断熱部とを備えており、断熱部が気孔をもつ無数の気孔体を有している。そして、各気孔が熱の移動を阻害することから、この温感部材は冷感及び温感を生じ難いという温感効果を生じる。また、この温感部材においては、その断熱部が基部と一体になっているため、使用者が面倒を感じることなく、温感効果を享受することが可能になる。
【０００９】
また、この温感部材は、各気孔体が粒径又は長さの分布において２種類以上の中心粒径又は中心長さをもつものであるため、各気孔体が断熱部内で密に存在しやすく、高い温感効果を発揮することができる。
【００１０】
したがって、この温感部材は、使用者が面倒を感じることなく、より高い温感効果を発揮可能である。
【００１１】
基部としては、ＦＲＰ、金属等を採用することができる。断熱部は、気孔をもつ無数の気孔体を有している。
【００１２】
各気孔体は粒径又は長さの分布において２種類以上の中心粒径又は中心長さ（最頻値（Mode））をもつものである。つまり、粒状の気孔体であれば、各気孔体は粒径の分布において２種類以上の中心粒径をもつものである。また、繊維状の気孔体であれば、各気孔体は長さの分布において２種類以上の中心長さをもつものである。このような気孔体の集合は、粒径又は長さの分布において１種類の中心粒径又は中心長さをもつ集合と、粒径又は長さの分布において他の１種類の中心粒径又は中心長さをもつ集合との少なくとも二つの集合を混合することによって得られる。三つ以上の集合を混合することも可能である。
【００１３】
気孔体としては、中空粒子、中空繊維及び多孔質粒子の少なくとも１種を採用することができる。すなわち、中空粒子のみを採用する場合と、中空繊維のみを採用する場合と、多孔質粒子のみを採用する場合と、中空粒子及び中空繊維を採用する場合と、中空繊維及び多孔質粒子を採用する場合と、中空粒子及び多孔質粒子を採用する場合と、中空粒子、中空繊維及び多孔質粒子を採用する場合とがある。
【００１４】
中空粒子とは、非吸水性の球状又は略球状の殻内に密閉された中空部をもつ粒子である。中空粒子の中空部によって断熱部の気孔を確保すれば、その気孔は独立気孔となる。中空部内は、空気等の気体が充満していてもよく、真空であってもよい。無機系の中空粒子であってもよく、有機系の中空粒子であってもよい。無機系の中空粒子としては、粒径が数１０μｍ程度のガラスバルーン、シリカバルーン、石英ガラスバルーン、フライアッシュ、シラスバルーン、アルミナバルーン、セラミックスバルーン等を採用することができる。有機系の中空粒子としては、粒径が数１０μｍ程度のウレタンバルーン、フェノールバルーン、ポリアミドバルーン等を採用することができる。
【００１５】
中空繊維とは、非吸水性の筒状の殻内に両端が開放された中空部をもつ繊維である。中空繊維の中空部によって断熱部の気孔を確保しても、その気孔は個々には連続せず、やはり独立気孔となる。中空部内は、空気等の気体が充満していてもよく、真空であってもよい。無機系の中空繊維であってもよく、有機系の中空繊維であってもよい。無機系の中空繊維としては、直径が数１０μｍ程度の中空ガラス繊維、中空シリカ繊維、中空石英ガラス繊維等を採用することができる。有機系の中空繊維としては、直径が数１０μｍ程度の中空ポリエステル繊維、中空アクリル繊維等を採用することができる。
【００１６】
多孔質粒子とは、それ自体が多孔質の材料で構成された粒子である。多孔質によって形成される気孔は、密閉されたものであってもよく、開放されたものであってもよい。無機系の多孔質粒子であってもよく、有機系の多孔質粒子であってもよい。無機系の多孔質粒子としては、微細に発泡したセラミックスの粉砕物、珪藻土、シリカゲル、軽石粉等を採用することができる。有機系の多孔質粒子としては、微細に発泡した樹脂の粉砕物等を採用することができる。
【００１７】
断熱部の気孔は、各気孔体の内部のもの及び各気孔体間のものからなることが好ましい。この温感部材では、気孔体間の気孔によって断熱部の気孔率が上がり、より一層温感効果が高くなる。
【００１８】
断熱部は、各気孔体が点又は線接合されてなるものであることが好ましい。この温感部材では、気孔体の充填率が大きく、温感効果が高い。
【００１９】
基部と断熱部との間には、繊維が互いに空隙を確保しながら絡み合ってなるシート状の補強体が両者に一体に設けられていることが好ましい。この補強体としては、ガラスマット、不織布、織布、紙等を採用することができる。この温感部材では、基部と断熱部とが好適に接合されるため、優れた耐久性を発揮することができる。
【００２０】
補強体は、断熱部側が基部側よりも繊維を密に有していることが好ましい。この場合、製造時に断熱部の気孔体が基部側に移動することがなく、温感効果が安定する。
【００２１】
断熱部の表面側には、断熱部と一体に設けられた非透水性の表面層が備えられていることが好ましい。この温感部材では、非透水性の表面層により断熱部の気孔に含水等を生じず、防汚性に優れる。表面層としては、ウレタン樹脂、不飽和ポリエステル樹脂等を採用することができる。
【００２２】
本発明の温感部材は、浴室用防水パン、浴槽、壁パネル、天井パネル、カウンター、ベランダやバルコニーやリビング等の床材、手摺、椅子、便座、樹脂タイル等に具体化可能である。ユニットバスルームを構成する浴室用防水パンのうち、洗い場部分に本発明を適用することが特に効果的である。人が裸足でその上に居るとしても、温感効果によってここちよく過ごすことが可能になる。
【００２３】
本発明の温感部材は以下の本発明の製造方法によって製造可能である。本発明の温感部材の製造方法は、基部を得る第１工程と、気孔をもち、粒径又は長さの分布において２種類以上の中心粒径又は中心長さをもつ無数の気孔体を含む断熱部を得る第２工程と、該基部の表面側に該断熱部を一体に形成し、中間材を得る第３工程と、該中間材の表面側に非透水性の表面層を形成し、温感部材を得る第４工程とを備えることを特徴とする。
【００２４】
第１工程では基部を得る。ＦＲＰ製の基部を得るためには、ハンドレイアップ（ＨＬＵ）法、スプレーアップ（ＳＰＵ）法、シートモールディングコンパウンド（ＳＭＣ）法、バルクモールディングコンパウンド（ＢＭＣ）法、注型（キャスト）成形法、プリフォームマッチドダイ（ＰＦＭＤ）法、コールドプレス（ＣＰ）法、レジントランスファーモールディング（ＲＴＭ）法、バキュームアシストレジントランスファーモールディング（ＶＡＲＴＭ）法、レジンインフュージョン（ＲＩＭＰ）法、オートクレーブ（ＡＣ）法、フィラメントワインディング（ＦＷ）法、引抜成形法、真空バッグ（ＶＢ）法、遠心成形（ＣＣ）法、回転成形（ＲＭ）法、加圧バッグ（ＰＢ）法等を採用することができる。これにより所定形状の基部が得られる。
【００２５】
第２工程では、無数の気孔体を含む断熱部を得る。各気孔体は、気孔をもち、粒径又は長さの分布において２種類以上の中心粒径又は中心長さをもつものである。これにより所定形状の断熱部が得られる。
【００２６】
第３工程では、基部の表面側に断熱部を一体に形成し、中間材を得る。この第３工程としては、第１工程及び第２工程を同時に行う方法、第１工程で得た基部に第２工程で得た断熱部を接合する方法等を採用することができる。
【００２７】
そして、第４工程では、中間材の表面側に非透水性の表面層を形成する。これにより所定形状の温感部材が得られる。
【００２８】
第３工程では、繊維が互いに空隙を確保しながら絡み合ってなるシート状の補強体を基部と断熱部との間に設けることが好ましい。この場合、補強体を備えた本発明の温感部材を製造できる。
【００２９】
無数の気孔体を含む断熱部用塗料を基部の表面側に塗布することにより、第２工程及び第３工程を行うことが好ましい。この場合、比較的簡易に本発明の温感部材を製造することができる。
【００３０】
断熱部用塗料は、溶剤によって希釈された接着液と、この接着液中に分散された無数の気孔体とからなることができる。各気孔体が加熱により互いに固着するものである場合、各気孔体を基部の表面側に設けた後、各気孔体を加熱することにより、第２工程及び第３工程を行うこともできる。各気孔体は、表層及び中心層からなる殻内に気孔をもち、表層が中心層よりも低温で溶解可能なものであることができる。また、各気孔体が加熱により膨張して内部に気孔を生じるものである場合、各気孔体を基部の表面側に設けた後、各気孔体を加熱することにより、第２工程及び第３工程を行うこともできる。
【発明を実施するための最良の形態】
【００３１】
以下、本発明を具体化した実施例１〜１３を図面を参照しつつ説明する。
【実施例１】
【００３２】
実施例１では、以下の製造方法により、温感部材として浴室用防水パンを製造する。まず、気孔体として、内部に閉気孔３ａをもち、粒径の分布において２種類の中心粒径をもつ無数の中空粒子３を用意する。１種類の中空粒子３の集合はガラスバルーン（中心粒径；４０μｍ、住友３Ｍ（株）製「グラスバブルズ」）の集合である。他の１種類の中空粒子３の集合はセラミックスバルーン（中心粒径；２５０μｍ、太平洋セメント（株）製「Ｅ−ＳＰＨＥＲＥＳ」）の集合である。そして、ガラスバルーンの集合とセラミックスバルーンの集合とを３：７の重量比で秤量する。ガラスバルーン及びセラミックスバルーンの集合の粒度分布を図１に示す。
【００３３】
また、補強体２として、繊維が互いに空隙を確保しながら絡み合ってなるシート状の不織布（厚み１００μｍ）も用意する。この不織布は一面側が他面側よりも繊維を密に有している。
【００３４】
そして、第１工程として、ハンドレイ・スプレーアップ成形、ＳＭＣ・ＢＭＣを用いたプレス成形等、既存のＦＲＰ製品の成形方法により、図２及び図３に示す基部１を得る。
【００３５】
この後、第２工程及び第３工程として、中空粒子３を互いに接合するためのバインディング剤としてのＤＡＰ樹脂（ジアリルフタレート樹脂）を用意し、このＤＡＰ樹脂をアセトンを溶媒として溶解し、第１溶液とする。この第１溶液に硬化剤としてＢＰＯ（有機過酸化物（ベンゾイルパーオキシド））をＤＡＰ樹脂に対して純分で１％混合し、第２溶液とする。そして、秤量したガラスバルーン及びセラミックスバルーンの集合を第２溶液に混合し、よく攪拌することにより断熱部用塗料とする。
【００３６】
次いで、基部１の表面側に接着剤を塗布して補強体２を載せる。この際、補強体２は、疎の面側を基部１側とする。また、補強体２の表面側に断熱部用塗料をスプレーガンを用いて塗布する。塗布した厚みはウェットの状態で２００〜５００μｍとした。塗布後、常温下でこれを放置し、溶媒のアセトンを蒸発させる。この後、これを６０〜８０°Ｃに昇温された硬化炉内に１〜２時間保持し、ＤＡＰ樹脂を硬化させる。これにより、各中空粒子３が点又は線接合された断熱部４が得られる。この断熱部４は、基部１の表面側で補強体２を介して一体に形成されている。この断熱部４は、内部に閉気孔３ａをもち、粒径の分布において２種類の中心粒径をもつ無数の中空粒子３を含んでいる。また、断熱部４は、各中空粒子３の内部の閉気孔３ａばかりでなく、各中空粒子３間の気孔３ｂも含んでいる。こうして、中間材が得られる。
【００３７】
そして、第４工程において、中間材の表面側に液状ウレタン樹脂を塗布し、液状ウレタン樹脂を硬化させ、非透水性の表面層５を形成する。こうして、比較的簡易に浴室用防水パンが得られる。
【００３８】
こうして得られる浴室用防水パンは、基部１と断熱部４とを備えており、断熱部４が内部に閉気孔３ａをもつ無数の中空粒子３を有している。特に、この浴室用防水パンは、各中空粒子３が粒径の分布において２種類の中心粒径をもつものであるため、各中空粒子３が断熱部４内で密に存在している。また、この浴室用防水パンでは、各中空粒子３が断熱部４において点又は線接合されているため、中空粒子３の充填率が大きい。さらに、この浴室用防水パンでは、断熱部４が各中空粒子３の閉気孔３ａ及び各中空粒子３間の気孔３ｂを有しているため、断熱部４の気孔率が高い。このため、閉気孔３ａ及び気孔３ｂが熱の移動を阻害することから、この浴室用防水パンは、特に冷感及び温感を生じ難いという温感効果を生じる。また、この浴室用防水パンでは、断熱部４側が基部１側よりも繊維を密に有した補強体２を用いているため、製造時に断熱部４の中空粒子３が基部１側に移動することがなく、温感効果が安定している。
【００３９】
また、この浴室用防水パンにおいては、その断熱部４が補強体２を介して基部１と一体になっているため、使用者が面倒を感じることなく、温感効果を享受することが可能になる。
【００４０】
したがって、この浴室用防水パンは、使用者が面倒を感じることなく、より高い温感効果を発揮可能である。このため、この浴室用防水パンでは、人が裸足でその上に居るとしても、温感効果によってここちよく過ごすことが可能である。
【００４１】
また、この浴室用防水パンでは、基部１と断熱部４との間に補強体２が両者に一体に設けられているため、基部１と断熱部４とが好適に接合され、優れた耐久性を発揮することができる。また、この浴室用防水パンでは、断熱部４の表面側に非透水性の表面層５が断熱部４と一体に備えられているため、断熱部４における各中空粒子３間の気孔３ｂに含水等を生じず、防汚性に優れる。
【実施例２】
【００４２】
実施例２では、実施例１のバインディング剤であるＤＡＰ樹脂に変え、シランカップリング剤を用いる。他の条件及び構成は実施例１と同様である。こうして得られる浴室用防水パンにおいても、実施例１と同様の作用効果を奏することができる。
【実施例３】
【００４３】
実施例３では、気孔体として、中空粒子３としてのガラスバルーン（中心粒径；４０μｍ、住友３Ｍ（株）製「グラスバブルズ」）の集合と、中空繊維６としての中空ガラス繊維（中心長さ；１．５ｍｍ、日東紡（株）製「２ＰＥ−９０５Ｓ」）の集合とを用意する。ガラスバルーンの集合と中空ガラス繊維の集合とを１０：１の重量比で秤量する。
【００４４】
そして、実施例１の第２溶液に秤量したガラスバルーン及び中空ガラス繊維の集合を混合し、よく攪拌することにより断熱部用塗料とする。
【００４５】
次いで、基部１の表面側に接着剤を塗布して補強体２を載せるとともに、補強体２の表面側に断熱部用塗料をスプレーガンを用いて塗布する。そして、実施例１と同様、中間材を得た後、浴室用防水パンを得る。
【００４６】
この浴室用防水パンは、図４に示すように、断熱部４が内部に閉気孔３ａをもつ無数の中空粒子３と、内部に気孔６ａをもつ無数の中空繊維６とを有している。他の条件及び構成は実施例１と同様である。この浴室用防水パンにおいても、実施例１と同様の作用効果を奏することができる。
【実施例４】
【００４７】
実施例４では、気孔体として、中空粒子３としてのガラスバルーン（中心粒径；４０μｍ、住友３Ｍ（株）製「グラスバブルズ」）の集合と、多孔質粒子７としての微細に発泡したセラミックスの粉砕物の集合とを用いる。他の条件を実施例１と同一として得た断熱部用塗料を塗布し、実施例１と同様に中間材を得た後、浴室用防水パンを得る。
【００４８】
この浴室用防水パンは、図５に示すように、断熱部４が内部に閉気孔３ａをもつ無数の中空粒子３と、内部に微細な気孔７ａをもつ多孔質粒子７とを有している。他の構成は実施例１と同様である。この浴室用防水パンにおいても、実施例１と同様の作用効果を奏することができる。
【実施例５】
【００４９】
実施例５では、実施例１のガラスバルーンに変え、樹脂中空バルーン（中心粒径；４０μｍ、日本フィライト（株）製「エクスパンセル０９２ＤＥ」）を用いる。他の条件及び構成は実施例１と同様である。こうして得られる浴室用防水パンにおいても、実施例１と同様の作用効果を奏することができる。
【実施例６】
【００５０】
実施例６では、実施例１のガラスバルーンに変え、未膨張樹脂中空バルーン（膨張時の中心粒径；１０μｍ、日本フィライト（株）製「エクスパンセル０９２」）を用いる。また、実施例１のＤＡＰ樹脂の硬化材として、反応開始温度の高い硬化剤であるターシャリーブチルベーオキシベンゾエイト（日本油脂（株）製「バープチルＺ」）を用いる。
【００５１】
他の条件を実施例１と同一として得た断熱部用塗料を塗布後、溶媒を蒸発させ、その後１５０〜１８０°Ｃの温度にてＤＡＰ樹脂を硬化させるとともに、未膨張樹脂中空バルーンを膨張させる。こうして、中間材を得た後、浴室用防水パンを得る。
【００５２】
この浴室用防水パンは、図６に示すように、断熱部４が内部に閉気孔３ａをもつ無数の中空粒子３と、膨張によって内部に気孔８ａが形成された無数の中空粒子８とを有している。他の構成は実施例１と同様である。この浴室用防水パンにおいても、実施例１と同様の作用効果を奏することができる。
【実施例７】
【００５３】
実施例７では、実施例１のガラスバルーンに変え、加熱により互いに固着する樹脂中空バルーン（中心粒径；４０μｍ）を用いる。また、実施例１のセラミックスバルーンに変え、加熱により互いに固着する樹脂中空バルーン（中心粒径；２５０μｍ）を用いる。また、実施例１で用いたＤＡＰ樹脂やＤＡＰ樹脂のための溶媒は用いない。
【００５４】
他の条件を実施例１と同一として得た断熱部用塗料を塗布後、１５０〜１８０°Ｃの温度にて樹脂中空バルーンを互いに固着する。こうして、中間材を得た後、浴室用防水パンを得る。
【００５５】
この浴室用防水パンは、図７に示すように、断熱部４が内部に閉気孔９ａをもつ無数の中空粒子９を互いに固着した状態で有している。他の構成は実施例１と同様である。この浴室用防水パンにおいても、実施例１と同様の作用効果を奏することができる。
【実施例８】
【００５６】
実施例８では、各気孔体として、表層及び中心層からなる殻内に気孔をもち、表層が中心層よりも低温で溶解可能なもの（中心粒径；２０〜５０μｍ）を用いる。各気孔体は粒径の分布において２種類以上の中心粒径をもつものである。こうして得られる浴室用防水パンにおいても、実施例１と同様の作用効果を奏することができる。
【実施例９】
【００５７】
実施例９では、気孔体として、中空繊維６としての中空ガラス繊維を用いる。各気孔体は長さの分布において２種類以上の中心長さをもつものである。他の条件を実施例１と同一として中間材を得た後、浴室用防水パンを得る。
【００５８】
この浴室用防水パンは、図８に示すように、断熱部４が内部に気孔６ａをもつ無数の中空繊維６を有している。他の構成は実施例１と同様である。この浴室用防水パンにおいても、実施例１と同様の作用効果を奏することができる。
【実施例１０】
【００５９】
実施例１０では、多孔質粒子７として、微細に発泡したセラミックスの粉砕物を用いる。多孔質粒子７は粒径の分布において２種類以上の中心粒径をもつものである。他の条件を実施例１と同一として中間材を得た後、浴室用防水パンを得る。
【００６０】
この浴室用防水パンは、図９に示すように、断熱部４が内部に気孔７ａをもつ無数の多孔質粒子７を有している。他の構成は実施例１と同様である。この浴室用防水パンにおいても、実施例１と同様の作用効果を奏することができる。
【実施例１１】
【００６１】
実施例１１では、多孔質粒子１０として、珪藻土を用いる。多孔質粒子１０は粒径の分布において２種類以上の中心粒径をもつものである。他の条件を実施例１と同一として中間材を得た後、浴室用防水パンを得る。
【００６２】
この浴室用防水パンは、図１０に示すように、断熱部４が微細な開気孔をもつ多孔質粒子１０を有している。他の構成は実施例１と同様である。この浴室用防水パンにおいても、実施例１と同様の作用効果を奏することができる。
【実施例１２】
【００６３】
実施例１２では、図１１に示すように、気孔体１１として、Ｙ字状の断面形状をもつ繊維を用いる。各気孔体１１は長さの分布において２種類以上の中心長さをもつものである。他の条件を実施例１と同一として中間材を得た後、浴室用防水パンを得る。
【００６４】
この浴室用防水パンは、断熱部４が微細な開気孔をもつ気孔体１１を有している。他の構成は実施例１と同様である。この浴室用防水パンにおいても、実施例１と同様の作用効果を奏することができる。
【実施例１３】
【００６５】
実施例１３では、図１２に示すように、気孔体１２として、径方向に複数のひだをもつ繊維を用いる。各気孔体１２は長さの分布において２種類以上の中心長さをもつものである。他の条件を実施例１と同一として中間材を得た後、浴室用防水パンを得る。
【００６６】
この浴室用防水パンは、断熱部４が微細な開気孔をもつ気孔体１２を有している。他の構成は実施例１と同様である。この浴室用防水パンにおいても、実施例１と同様の作用効果を奏することができる。
【００６７】
なお、上記実施例１〜１３では、予め成形されたＦＲＰ製の基部１の表面に中空粒子３等が混合された断熱部用塗料を吹き付けて製作したが、ＰＴＦＥ製等の成形型の表面に中空粒子３等を含む断熱部用塗料を吹き付け、硬化させることにより断熱部４のみを予め製作しておき、別途成型された基部１に接着材を用いてこの断熱部４を貼り付けることも可能である。
【産業上の利用可能性】
【００６８】
本発明は、浴室用防水パン、浴槽、壁パネル、天井パネル、カウンター、ベランダやバルコニー等の床材等に利用可能である。
【図面の簡単な説明】
【００６９】
【図１】実施例１に係り、ガラスバルーン及びセラミックスバルーンの集合の粒度分布を示すグラフである。
【図２】実施例１の浴室用防水パンの模式断面図である。
【図３】実施例１の浴室用防水パンの模式拡大断面図である。
【図４】実施例３の浴室用防水パンの模式断面図である。
【図５】実施例４の浴室用防水パンの模式断面図である。
【図６】実施例６の浴室用防水パンの模式断面図である。
【図７】実施例７の浴室用防水パンの模式断面図である。
【図８】実施例９の浴室用防水パンの模式断面図である。
【図９】実施例１０の浴室用防水パンの模式断面図である。
【図１０】実施例１１の浴室用防水パンの模式断面図である。
【図１１】実施例１２の浴室用防水パンの模式断面図である。
【図１２】実施例１３の浴室用防水パンの模式断面図である。
【符号の説明】
【００７０】
１…基部
３ａ、３ｂ、６ａ、７ａ、８ａ、９ａ…気孔
４…断熱部
３、６、７、８、９、１０、１１、１２…気孔体（３…中空粒子、６…中空繊維、７、１０…多孔質粒子）
２…補強体
５…表面層
【図１】
2005153277.tif 000003
【図２】
2005153277.tif 000004
【図３】
2005153277.tif 000005
【図４】
2005153277.tif 000006
【図５】
2005153277.tif 000007
【図６】
2005153277.tif 000008
【図７】
2005153277.tif 000009
【図８】
2005153277.tif 000010
【図９】
2005153277.tif 000011
【図１０】
2005153277.tif 000012
【図１１】
2005153277.tif 000013
【図１２】
2005153277.tif 000014